(57)【要約】    【課題】従来の同種のプログラムを用いた場合よりも確実に、パケットの伝送タイミングに起因する異常現象の発生原因を究明できるネットワーク機器検査用プログラムを、提供する。    【解決手段】ネットワーク機器検査用プログラムを、異常現象発生時にネットワーク上を伝送された各種パケットのキャプチャ結果ファイルに基づき、各種パケットの再送処理を行えるプログラムであると共に、アイテム５８ａ，５８ｂに設定する値を変化さえることにより、各パケットの送信タイミングを調整できるプログラムとして作成しておく。    【選択図】図６
2008193468.tif 000002
【特許請求の範囲】
【請求項１】
コンピュータを、
パケットの送信タイミングの変更条件と、処理対象とする，パケットのキャプチャ結果ファイルとを、操作者に、指定させるためのユーザインタフェース手段と、
前記ユーザインタフェース手段を利用して操作者が指定したキャプチャ結果ファイル内に，その内容を示す情報が記憶されている各パケットを、各パケットの送信タイミングを前記ユーザインタフェース手段を利用して操作者が指定した変更条件に応じたものに変更した上でネットワーク上へ送信するパケット送信手段と
を備える装置として動作させる
ことを特徴とするネットワーク機器検査用プログラム。
【請求項２】
パケットの送信先アドレス及び送信元アドレスの変更機能を有する手段である
ことを特徴とする請求項１記載のネットワーク機器検査用プログラム。
【請求項３】
前記ユーザインタフェース手段が、
送信対象とするパケットも操作者に指定させる手段であり、
前記パケット送信手段が、
前記ユーザインタフェース手段を利用して操作者が指定したパケットのみを送信する手段である
ことを特徴とする請求項１又は請求項２に記載のネットワーク機器検査用プログラム。
【請求項４】
コンピュータを、
印刷データを抽出するキャプチャ結果ファイルを、操作者に、指定させるための第２ユーザインタフェース手段と、
前記第２ユーザインタフェース手段を利用して操作者が指定したキャプチャ結果ファイル内の，ＴＣＰストリームを表している情報に基づき、パケット化される前の印刷データを生成する印刷データ抽出手段と
を、さらに備える装置として動作させる
ことを特徴とする請求項１乃至請求項３のいずれかに記載のネットワーク機器検査用プログラム。
【請求項５】
コンピュータを、
前記パケット送信手段による各パケットの送信先機器から送信されてきたパケットを受信し、受信した各パケットの内容を表す情報を記録する受信パケット記録手段と、
前記受信パケット記録手段により記録された情報と、前記キャプチャ結果ファイル内の情報に基づき、前記受信パケット記録手段により受信された各パケットと，パケットキャプチャ時における対応する各パケットの内容を比較して、比較結果を出力する比較手段と
を、さらに備える装置として動作させる
ことを特徴とする請求項１乃至請求項４のいずれかに記載のネットワーク機器検査用プログラム。
【発明の詳細な説明】
【技術分野】
【０００１】
本発明は、ネットワーク機器の利用時に発生する異常現象の原因を究明するためや、ネットワーク機器の検査を行うために使用されるネットワーク機器検査用プログラムに関する。
【背景技術】
【０００２】
近年、ネットワークに接続して使用するさまざまな機器（プリンタやスキャナ）が市販されているが、そのような機器（以下、ネットワーク機器と表記する）の利用時に発生する異常現象の中には、特定の客先のみでしか発生しないもの（同じ操作を行っても、他の環境では発生しないもの）が、存在している。
【０００３】
その種の異常現象は、設計ミスや部品異常により、特定の幾つかのパケットが特定のタイミングで送信されてきたときに生ずるものである。このため、そのような異常現象の発生が報告された場合、客先で、異常現象発生時にネットワーク上を伝送される各種パケットのキャプチャ結果ファイルを用意してから、検査部門で、そのキャプチャ結果ファイルを基にＴＣＰストリーム等の再送実験を行うといったような作業を行っているのであるが、キャプチャ結果ファイルを基にＴＣＰストリーム等の再送が可能な既存のプログラムは、いずれも、キャプチャ結果ファイルに記録されているタイミングよりも若干遅れたタイミングで各パケットを送信するもの（アドレスの変換処理等に要する時間分、各パケットの送信タイミングが遅れるもの）となっている。このため、既存のプログラムを用いた上記作業時には、異常現象を発生させることが出来ないため、その原因を究明できないといったことがしばしば生じていた。
【発明の開示】
【発明が解決しようとする課題】
【０００４】
そこで、本発明の課題は、従来の同種のプログラムを用いた場合よりも確実に（異常現象が発生しないため、異常現象の発生原因を究明できないといったことがない形で）、異常現象の発生原因を究明できるネットワーク機器検査用プログラムであって、ネットワーク機器が，パケットの送信タイミングに関する異常現象が生じないものであるかの検査にも使用できるネットワーク機器検査用プログラムを、提供することにある。
【課題を解決するための手段】
【０００５】
上記課題を解決するために、本発明では、ネットワーク機器検査用プログラムを、コンピュータを、パケットの送信タイミングの変更条件と、処理対象とする，パケットのキャプチャ結果ファイルとを、操作者に、指定させるためのユーザインタフェース手段と、ユーザインタフェース手段を利用して操作者が指定したキャプチャ結果ファイル内に，その内容を示す情報が記憶されている各パケットを、各パケットの送信タイミングをユーザインタフェース手段を利用して操作者が指定した変更条件に応じたものに変更した上でネットワーク上へ送信するパケット送信手段とを備える装置として動作させることが出来るものとして作成（プログラミング）しておく。
【０００６】
すなわち、本発明のネットワーク機器検査用プログラムは、異常現象発生時にネットワーク上を伝送されたパケット群等を、各パケットの送信タイミングを調整してネットワーク上へ送信できるプログラムとなっている。このため、このネットワーク機器検査用プログラムを用いておけば、プログラムによる処理時間のために各パケットが送信タイミングが遅れ，その結果として異常現象が発生しないような場合、各パケットの送信タイミングを調整することにより、異常現象を発生させることが出来ることになる。そして、異常現象を発生させることが出来れば、その原因を究明することが出来るため、本発明のネットワーク機器検査用プログラムを用いておけば、従来の同種のプログラムを用いた場合よりも確実に（異常現象が発生しないため、異常現象の発生原因を究明できないといったことがない形で）、異常現象の発生原因を究明できることになる。
【０００７】
また、本発明のネットワーク機器検査用プログラムを、ネットワーク機器の出荷時の検査に用いれば、パケットの送信タイミングに関する異常現象が生じないものであることを確認した上で、ネットワーク機器を出荷できることになる。
【０００８】
本発明のネットワーク機器検査用プログラムを実現する際には、異常現象が発生した環境と異なる環境で異常現象を再現できるようにするために、パケット送信手段が、パケットの送信先アドレス及び送信元アドレスの変更機能を有する手段となるようにしておくことが望ましい。
【０００９】
また、送信するパケットの選択（ＴＣＰストリームのみ、ＴＣＰストリーム及びＵＤＰパケット等）を簡単に行えるようにするために、本発明のネットワーク機器検査用プログラムを、ユーザインタフェース手段が、送信対象とするパケットも操作者に指定させる手段となり、パケット送信手段が、ユーザインタフェース手段を利用して操作者が指定したパケットのみを送信する手段となるようにしておくことも出来る。
【００１０】
また、本発明のネットワーク機器検査用プログラムを、プリンタ用のものとして実現する場合には、コンピュータが、印刷データを抽出するキャプチャ結果ファイルを、操作者に、指定させるための第２ユーザインタフェース手段と、第２ユーザインタフェース手段を利用して操作者が指定したキャプチャ結果ファイル内の，ＴＣＰストリームを表している情報に基づき、パケット化される前の印刷データを生成する印刷データ抽出手段とを、さらに備える装置として動作するようにしておくことが望ましい。
【００１１】
また、本発明のネットワーク機器検査用プログラムを、プリンタ用のものとして実現する場合には、コンピュータが、印刷データを抽出するキャプチャ結果ファイルを、操作者に、指定させるための第２ユーザインタフェース手段と、第２ユーザインタフェース手段を利用して操作者が指定したキャプチャ結果ファイル内の，ＴＣＰストリームを表している情報に基づき、パケット化される前の印刷データを生成する印刷データ抽出手段とを、さらに備える装置として動作するようにしておくことが望ましい。
【００１２】
また、異常現象の原因をより容易に究明できるようにするために、本発明のネットワーク機器検査用プログラムを、コンピュータが、パケット送信手段による各パケットの送信先機器から送信されてきたパケットを受信し、受信した各パケットの内容を表す情報を記録する受信パケット記録手段と、受信パケット記録手段により記録された情報と、キャプチャ結果ファイル内の情報に基づき、受信パケット記録手段により受信された各パケットと，パケットキャプチャ時における対応する各パケットの内容を比較して、比較結果を出力する比較手段とを、さらに備える装置として動作するようにしておくことも出来る。
【発明を実施するための最良の形態】
【００１３】
以下、本発明を実施するための最良の形態を、図面を参照して詳細に説明する。
【００１４】
まず、図１を用いて、本発明の一実施形態に係るネットワーク機器検査用プログラム１０の概要（用途及び使用法）を、説明する。
【００１５】
本発明の一実施形態に係るネットワーク機器検査用プログラム１０は、特定の客先システム（プリンタを含むコンピュータネットワークシステム）のみで発生する，ネットワーク印刷に関する異常現象の原因究明のために開発されたプログラムである。
【００１６】
本実施形態に係るネットワーク機器検査用プログラム１０は、客先システム内のＰＣ上で実行することも可能なプログラムではあるが、図１に模式的に示したような形で使用することを想定して作成したプログラムとなっている。
【００１７】
すなわち、ネットワーク機器検査用プログラム１０は、客先システムで発生する異常現象の再現実験を検査部門で行うことを想定して作成されたプログラムとなっている。なお、図１及び以下の説明において、パケットファイルとは、Wireshark等のパケットキャプチャプログラムを用いて用意（作成）された，異常現象発生時に客先システムのネットワーク上を伝送された各種パケットのキャプチャ結果ファイル（本実施形態では、libpcap形式のもの）のことである。
【００１８】
次に、図２乃至図１０を用いて、ネットワーク機器検査用プログラム１０の機能を、説明する。
【００１９】
本実施形態に係るネットワーク機器検査用プログラム１０（以下、検査用プログラム１０とも表記する）は、起動されると、図２に示した構成のメインウィンドウ２０を，検査用ＰＣ（自身がインストールされているＰＣ；図１参照）のディスプレイ上に表示するプログラムとなっている。
【００２０】
このメインウィンドウ２０は、[File]メニュー下に、[open]メニュー，[Replay]メニュー，[Extract]メニュー，[exit]メニュー等が存在するウィンドウ（[File]メニューを選択すると、[open]メニュー等が示されたサブメニューが表示されるウィンドウ）である。また、メインウィンドウ２０は、[Setting]メニュー下に、[TCP Flow]メニュー，[Select UDP Packet to send]メニュー，[Target Address]メニュー等が存在し、[View]メニュー下に、[Log]メニュー，[Compare]メニュー等が存在するウィンドウとなっている。
【００２１】
[File]メニュー下の[open]メニューは、選択すると、ファイル選択用のダイアログボックスが表示される（検査用プログラム１０が、ファイル選択用のダイアログボックスを表示する）メニューである。
【００２２】
[Setting]メニュー下の[TCP Flow]メニューは、印刷データ（ＴＣＰパケットでプリンタへ送信されるデータ）に関する再現実験を行う場合に、パケットファイルをオープンしてから（[open]メニューを選択し，パケットファイルを指定した後に）、選択すべきメニューである。
【００２３】
[TCP Flow]メニューが選択された場合、検査用プログラム１０は、ＴＣＰストリーム特定処理とＴＣＰストリーム選択ウィンドウ表示処理とを行う。ここで、ＴＣＰストリーム特定処理とは、オープンされているパケットファイル（以下、処理対象パケットファイルと表記する）にアクセスすることにより、全パケットに関する情報が処理対象パケットファイル内に記憶されているＴＣＰストリーム（ＳＹＮパケットが存在するＴＣＰストリーム）を特定する処理のことである。
【００２４】
また、ＴＣＰストリーム選択ウィンドウ表示処理とは、図３に示した構成のＴＣＰストリーム選択ウィンドウ３０をディスプレイ上に表示する処理のことである。
【００２５】
このＴＣＰストリーム選択ウィンドウ表示処理により表示されるＴＣＰストリーム選択ウィンドウ３０上のＴＣＰストリーム選択欄３１は、ＴＣＰストリーム特定処理で特定された各ＴＣＰストリームの送信元アドレス（ＩＰアドレス），送信元ポート番号等が示されるアイテムである。このＴＣＰストリーム選択欄３１は、１つ或いは複数のＴＣＰストリームを選択できるものとなっている。
【００２６】
ＴＣＰストリーム選択ウィンドウ３０上の[Filter]ボタン３４は、送信先アドレス入力欄３２，送信先ポート番号入力欄３３の双方或いは一方に，抽出条件として使用する情報（送信先アドレス、送信先ポート番号）を入力してから押下すると、入力したものと送信先アドレス及び／或いは送信先ポート番号が一致するＴＣＰストリームに関する情報のみがＴＣＰストリーム選択欄３１内に示されることになるボタンである。すなわち、[Filter]ボタン３４は、送信先ポート番号入力欄３３に“５１５”を入力してから押下すれば、図３に示してあるＴＣＰストリーム選択ウィンドウ３０が、図４に示した内容のものに変更されるボタンとなっている。
【００２７】
[Apply]ボタン３５は、それを押下すると、検査用プログラム１０が、その時点で選択されているＴＣＰストリームが再現対象として指定されたことを記憶するボタンである。[Cancel]ボタン３６は、それを押下すると、検査用プログラム１０が、ＴＣＰストリーム選択ウィンドウ３０をディスプレイ上から消去するボタンである。
【００２８】
[Setting]メニュー（図２）下の[Target Address]メニューは、それを選択すると、ターゲットアドレスを設定するための，図５に示した構成のターゲットアドレス設定用ダイアログボックス４０が表示されるメニューである。なお、ターゲットアドレスとは、再現実験に用いるプリンタ（図１におけるプリンタ＃２）のＩＰアドレスのことである。
【００２９】
[Setting]メニュー下の[Select UDP Packet to send]メニューは、それを選択すると、再現対象とするＵＤＰパケットの送信先アドレスを設定するためのダイアログボックス（再現対象とするＵＤＰパケットを、送信先アドレスで指定するためのダイアログボックス；以下、ＵＤＰパケット指定用ダイアログボックスと表記する）が表示されるメニューである。
【００３０】
[File]メニュー（図２）下の[Replay]メニューは、それを選択すると、図６に示した構成の再現条件設定ウィンドウ５０が表示されるメニューである。
【００３１】
この再現条件設定ウィンドウ５０上の[Target]ボタン５２は、押下すると、ターゲットアドレス設定用ダイアログボックス４０（図５）が表示されるボタンである。[TCP Flow]ボタン５３は、押下すると、ＴＣＰストリーム選択ウィンドウ３０（図３）が表示されるボタンである。[original]ボタン５４は、押下すると、上記したＵＤＰパケット指定用ダイアログボックスが表示されるボタンである。また、３つのチェックボックス５１は、再現対象とするパケットの種類を指定するためのチェックボックスである。
【００３２】
チェックボックス５５は、パケットのキャプチャ開始から，先頭パケットが送信されるまでに要した時間の経過を待って，パケットの送信を開始する（非チェック）か、当該時間の経過を待たずに，パケットの送信を開始する（チェック）かを、指定するためのチェックボックスである。チェックボックス５６ａは、複数のＴＣＰストリームの再現を行う際にチェックしておくと、時間設定欄５６ｂに設定した時間間隔で各ＴＣＰストリームが送信されることになるチェックボックスである。
【００３３】
チェックボックス５７ａは、再現対象の最後のパケットを送信した後，コネクションをクローズする（非チェック）か、最後のパケットを送信した後，ＦＩＮの出すのを，時間設定欄５７ｂに設定されている時間だけ待つ（チェック）かを、指定するためのチェックボックスである。
【００３４】
比率設定欄５８ａ，オフセット設定欄５８ｂは、各アイテムの値（比率，オフセット）を変更することにより、パケットの送信間隔（次パケットの送信を行うまでの待機時間）を調整できるアイテムである。これらのアイテムの設定値（比率，オフセット）は  以下のように使用されるものとなっている。
パケットの送信間隔＝
キャプチャー時におけるパケットの送信間隔・比率＋オフセット
【００３５】
[Replay]ボタン５９は、押下すると、検査用プログラム１０が，パケット送信処理とログファイル生成処理とを、開始するボタンである。
【００３６】
ここで、パケット送信処理とは、図７に示したように、処理対象パケットファイル内の再現対象として指定されているパケットに関する情報（ステップＳ１０１）に基づき、再現対象として指定されている各パケットを、送信元アドレス，送信先アドレスをそれぞれ自装置のアドレス，ターゲットアドレスに変更（ステップＳ１０３）した上で，指定されているタイミングで送信（ステップＳ１０４，Ｓ１０５）する処理のことである。なお、このパケット送信処理は、ＲＡＷパケットに関しては、アドレスの書換を行わない処理となっている。
【００３７】
また、ログファイル生成処理とは、送信した各パケットの送信時刻やサイズを記録したログファイルを生成する処理のことである。ＴＣＰストリームが再現対象として指定されている場合に検査用プログラム１０が実行するログファイル生成処理は、ターゲットアドレスを有する機器から受信した各パケットに関するログファイルも生成する処理となっている。
【００３８】
[File]メニュー下（図２）の[Extract]メニューは、パケットファイルをオープンしている状態で選択すると、印刷データ抽出処理を検査用プログラム１０に実行させることが出来るメニューである。
【００３９】
検査用プログラム１０が実行する印刷データ抽出処理は、パケットファイルから印刷データを抽出するための処理である。この印刷データ抽出処理は、以下のような内容の処理となっている。
【００４０】
印刷データ抽出処理を開始した検査用プログラム１０は、まず、既に説明したＴＣＰストリーム特定処理を行う。その後、検査用プログラム１０は、図８に示した構成の抽出対象ＴＣＰストリーム選択ウィンドウ６０をディスプレイ上に表示する処理を行う。なお、この処理により表示される抽出対象ＴＣＰストリーム選択ウィンドウ６０上のＴＣＰストリーム選択欄６１，送信先アドレス入力欄６２，送信先ポート番号入力欄６３，[Filter]ボタン６４，[Cancel]ボタン６６は、それぞれ、ＴＣＰストリーム選択ウィンドウ３０上の同名のアイテムと同機能のアイテムである。
【００４１】
その後、検査用プログラム１０は、操作者の指示に従って抽出対象ＴＣＰストリーム選択ウィンドウ６０の表示内容を変更する状態となる。そして、検査用プログラム１０は、ＴＣＰストリームが選択されている状態で[Extract]ボタン６５が押下された場合には、図９に示した構成の抽出プロトコル確認ダイアログボックス７０をディスプレイ上に表示する処理を行う。なお、図９に示した抽出プロトコル確認ダイアログボックス７０は、図８の最上段に示されているＴＣＰストリーム（送信先ポート番号が，ＬＰＤの標準ポート番号である“５１５”となっているＴＣＰストリーム）を選択してから[Extract]ボタン６５を押下した場合に表示されるものである。送信先ポート番号が非標準のポート番号であるＴＣＰストリームを選択してから[Extract]ボタン６５を押下した場合には、プロトコル表示・設定欄７１内に“Unknown”が示された抽出プロトコル確認ダイアログボックス７０（プロトコル表示・設定欄７１を操作することにより，プロトコルを選択／指定することが必要な抽出プロトコル確認ダイアログボックス７０）が、表示される。
【００４２】
検査用プログラム１０は、抽出プロトコル確認ダイアログボックス７０上のＯＫボタン７２が押下された場合には、抽出した印刷データのファイルのファイル名及び保存フォルダを操作者に指定させるための処理（ファイル名設定用のダイアログボックスを表示する処理）を行う。
【００４３】
そして、検査用プログラム１０は、抽出した印刷データのファイルのファイル名及び保存フォルダが指定された場合には、選択されているＴＣＰストリームを、その送信先ポート番号が示しているプロトコル（或いは、抽出プロトコル確認ダイアログボックス７０で指定されたプロトコル）のＴＣＰストリームとして取り扱って印刷データに変換し、変換した印刷データの，指定されたファイル名を有するファイルを，指定されているフォルダに保存する処理を行ってから、印刷データ抽出処理を終了する。
【００４４】
[View]メニュー下（図２）の[Log]メニューは、それを選択することにより、各種ログファイルの内容の確認を行えるメニュー（ログファイルの選択用ダイアログボックスが表示され、選択したログファイルの内容がディスプレイ上に表示されることになるメニュー）である。
【００４５】
また、[View]メニュー下の[Compare]メニューは、その選択により表示されるダイアログボックスで、ＴＣＰストリームの再現実験時に生成されたログファイルを選択すれば、図１０に示したような手順の比較処理、すなわち、ＴＣＰストリームの再現実験時に受信されたパケット群と，客先システムにおける対応するパケット群とを比較する処理（ステップＳ２０１）と、受信されたパケット群が表しているデータと，対応するパケット群が表しているデータとを比較する処理（ステップＳ２０２）とが行われた後に、それらの処理の結果を表示する比較結果表示処理（ステップＳ２０３）が行われる比較処理を、検査用プログラム１０に実行させることが出来るメニューである。なお、検査用プログラム１０がステップＳ２０１で実行する処理は、２パケットのフラグ及びデータ部や受信タイミングを比較するものとなっている。また、検査用プログラム１０がステップＳ２０３で実行する比較結果表示処理は、操作者が、比較結果を各種形態で表示させることができるものであると共に、比較結果をファイルとして保存することを指示できるものとなっている。
【００４６】
以上の説明から明らかなように、本実施形態に係るネットワーク機器検査用プログラム１０は、異常現象発生時に客先システムのネットワーク上を伝送されたパケット群（ＴＣＰストリームを構成するパケット群等）を、各パケットの送信タイミングを調整して検査部門のネットワーク上へ送信できるプログラムとなっている。このため、このネットワーク機器検査用プログラム１０を用いておけば、プログラムによる処理時間のために各パケットが送信タイミングが遅れ，その結果として異常現象が発生しないような場合、各パケットの送信タイミングを調整することにより、異常現象を発生させることが出来ることになる。
【００４７】
そして、異常現象を発生させることが出来れば、その原因を究明することが出来るため、本実施形態に係るネットワーク機器検査用プログラム１０を用いておけば、従来の同種のプログラムを用いた場合よりも確実に（異常現象が発生しないため、異常現象の発生原因を究明できないといったことがない形で）、異常現象の発生原因を究明できることになる。
【００４８】
《変形形態》
上記したネットワーク機器検査用プログラム１０は、各種の変形を行うことが出来る。例えば、ネットワーク機器検査用プログラム１０を、客先システムのＰＣ上で使用するプログラムとする場合には、ネットワーク機器検査用プログラム１０から、送信先アドレス，送信先アドレスの変換機能を取り除いておくことが出来る。
【００４９】
ネットワーク機器検査用プログラム１０を、上記したものとは具体的な構成が異なるダイアログボックスやウィンドウを表示するプログラムや、プリンタ以外のネットワーク機器用のプログラム（基本機能はネットワーク機器検査用プログラム１０と同じであるが、印刷データ抽出処理相当の処理の内容が異なるプログラム）に変形することも出来る。また、ネットワーク機器検査用プログラム１０を、プリンタ（或いは他のネットワーク機器）出荷時の検査用のプログラム（パケットの送信タイミングによらず、正常に動作することの確認用のプログラム）として用いても良いことなどは、当然のことである。
【図面の簡単な説明】
【００５０】
【図１】実施形態に係るネットワーク機器検査用プログラムの使用形態の説明図。
【図２】ネットワーク機器検査用プログラムが表示するメインウィンドウの説明図。
【図３】ネットワーク機器検査用プログラムが表示するＴＣＰストリーム選択ウィンドウの説明図。
【図４】ネットワーク機器検査用プログラムが，[Filter]ボタン押下後に表示するＴＣＰストリーム選択ウィンドウの説明図。
【図５】ネットワーク機器検査用プログラムが表示するターゲットアドレス設定用ダイアログボックスの説明図。
【図６】ネットワーク機器検査用プログラムが表示する再現条件設定ウィンドウの説明図。
【図７】ネットワーク機器検査用プログラムが実行するパケット送信処理の流れ図。
【図８】ネットワーク機器検査用プログラムが表示する抽出対象ＴＣＰストリーム選択ウィンドウの説明図。
【図９】ネットワーク機器検査用プログラムが表示する抽出プロトコル確認ダイアログボックスの説明図。
【図１０】ネットワーク機器検査用プログラムが実行する比較処理の流れ図。
【符号の説明】
【００５１】
１０  ネットワーク機器検査用プログラム、  ２０  メインウィンドウ
３０  ＴＣＰストリーム選択ウィンドウ
４０  ターゲットアドレス設定用ダイアログボックス
５０  再現条件設定ウィンドウ、  ６０  抽出対象ＴＣＰストリーム選択ウィンドウ
７０  抽出プロトコル確認ダイアログボックス
【図１】
2008193468.tif 000003
【図２】
2008193468.tif 000004
【図３】
2008193468.tif 000005
【図４】
2008193468.tif 000006
【図５】
2008193468.tif 000007
【図６】
2008193468.tif 000008
【図７】
2008193468.tif 000009
【図８】
2008193468.tif 000010
【図９】
2008193468.tif 000011
【図１０】
2008193468.tif 000012